(57)【特許請求の範囲】
【請求項１】
略「コ」字状の突合せ部を対向させるように連結縦框同士を突き合わせ、この状態で第１の扉体と第２の扉体とを折曲げ自在に連結した折戸において、
前記両突合せ部の一方の端部片にそれぞれ形成した軸受部に、回動自在に軸支した一対の折曲げ軸と、
前記一対の軸受部を跨ぐように前記両突合せ部の内部間に配設され、前記両扉体同士の間隙を閉塞すると共に当該両扉体の折曲げを許容する閉塞部材と、
前記一対の折曲げ軸および前記閉塞部材を、前記連結縦框の小口端において連結する連結部材と、
前記閉塞部材と前記各軸受部との間の相対的な回動を許容した状態で前記閉塞部材の内周部と前記一対の軸受部との間に介設したスペーサとを備えたことを特徴とする折戸。
【請求項２】
前記スペーサは、前記閉塞部材の内周部に固定され、且つその内周面で前記両軸受部に摺接していることを特徴とする請求項１に記載の折戸。
【請求項３】
前記閉塞部材の内周部の左右両端部にはそれぞれ内向きの突片が形成されており、
前記スペーサは前記両突片間に嵌着されていることを特徴とする請求項２に記載の折戸。
【請求項４】
前記スペーサの左右中間部分には、前記両軸受部に挟持されるように延びるガタ止め部が形成されていることを特徴とする請求項２または３に記載の折戸。
【請求項５】
前記スペーサは一対で構成されており、
前記各スペーサは、前記各軸受部の外周部に固定され、かつその外周面で前記閉塞部材の内周部に摺接していることを特徴とする請求項１に記載の折戸。
【請求項６】
前記各軸受部には外向きの突出片が形成されており、
前記各スペーサは前記各突出片に装着されていることを特徴とする請求項５に記載の折戸。
【請求項７】
前記一対のスペーサ同士は、前記扉体が閉塞した状態でほぼ接触するように配設されていることを特徴とする請求項５または６に記載の折戸。
【請求項８】
前記スペーサは短尺に形成され、前記両連結縦框の上下方向の略中間位置に配設されていることを特徴とする請求項１ないし７のいずれかに記載の折戸。
【発明の詳細な説明】
【０００１】
【発明が属する技術分野】
本発明は、例えば、浴室などに設けられ、一対の扉体を中央部で折曲げ自在に連結した折戸に関するものである。
【０００２】
【従来の技術】
この種の従来の折戸として、例えば実開平７−６４７７号公報に記載のものが知られている。この折戸における両扉体の連結縦框は、突合せ部の端面が開放されそれぞれ「コ」字状に形成されており、この突合せ部の内部間に連結金具が内設されている。連結金具は、両連結縦框の折曲げヒンジを構成する一対の折曲げ軸と、一対の折曲げ軸を跨ぐように突合せ部の内部間に配設した閉塞部材と、この一対の折曲げ軸および閉塞部材を両連結縦框の上下両小口端で連結する一対の連結部材とで構成されている。
折曲げ軸は、突合せ部の脱衣室側の端部片に形成された軸受部に回動自在に軸支されており、両扉体は一対の折曲げ軸を中心に、脱衣室側を谷折り側として開放される。閉塞部材は浴室側の外周面と脱衣室側の内周面とが、それぞれ略円弧状に形成され、開閉に際し、外周面は突合せ部の浴室側の端部片との干渉を回避可能とし、内周面は突合せ部の脱衣室側の端部片（軸受部）との干渉を回避可能として、相対的な回動を許容している。そして、浴室側を山折り側として両扉体が開放されると、閉塞部材の外周面が、離間した両連結縦框間の間隙を埋めるように突合せ部間に露出する。
また、閉塞部材の外周面と各突合せ部の内周面とで構成される空間には、この「コ」字状の突合せ部が変形しないようにスペーサが、それぞれ挿入されている。この場合、各スペーサは、突合せ部に固定された状態で、閉塞部材の外周面にわずかな間隙を存して対峙しており、開閉の際にスペーサと閉塞部材とが擦れ合わないようにしている。
【０００３】
【発明が解決しようとする課題】
ところで折戸の円滑な開閉は、その折畳み構造から、両扉体の連結部分の近傍であって、上下の中間位置に力を加えることが最も好ましい。すなわち、折戸を開閉するときには、常に両連結縦框の上下中間位置に見込み方向の開閉力が加わることになる。特に、両扉体を閉塞状態から開放すると、両連結縦框に曲げ力が作用し、両連結縦框が浴室側に撓み、この撓んだ状態で両扉体が、一対の折曲げ軸を中心に相互に回動しながら開放される。このため、突合せ部と閉塞部材とが上下の小口端でのみ連結されている上記従来の折戸では、撓みを生じた上下中間部分でスペーサと閉塞部材の外周面とが、或いは軸受部と閉塞部材の内周面とが接触するおそれがあった。
スペーサと閉塞部材の外周面が接触した状態でこの両者が擦れ合うと、たとえスペーサが樹脂で形成されていても、閉塞部材の外周面の塗装の剥がれなどの損傷が生じ、意匠上好ましくない。また、スペーサを介して突合せ部の端部片が押され、外側に変形するなどのおそれがある。同様に、軸受部と閉塞部材の内周面が接触すると、開閉の際に金属同士が擦れ合って耳障りな擦れ音が発生する。さらに、閉塞状態から両扉体の逆折れ（脱衣室側への折れ）を防止するために、突合せ部の端部片に当接する閉塞部材の当接部が、突合せ部内でがたつく（がたつき音）おそれがある。
【０００４】
本発明は、簡単な構造で、開閉の際の連結縦框の撓みに基づいて発生する閉塞部材の外周面の擦れや擦れ音、および閉塞部材のがたつきを防止することができる折戸を提供することをその目的としている。
【０００５】
【課題を解決するための手段】
本発明の折戸は、略「コ」字状の突合せ部を対向させるように連結縦框同士を突き合わせ、この状態で第１の扉体と第２の扉体とを折曲げ自在に連結した折戸において、両突合せ部の一方の端部片にそれぞれ形成した軸受部に、回動自在に軸支した一対の折曲げ軸と、一対の軸受部を跨ぐように両突合せ部の内部間に配設され、両扉体同士の間隙を閉塞すると共に両扉体の折曲げを許容する閉塞部材と、一対の折曲げ軸および閉塞部材を、連結縦框の小口端において連結する連結部材と、閉塞部材と各軸受部との間の相対的な回動を許容した状態で閉塞部材の内周部と一対の軸受部との間に介設したスペーサとを備えたことを特徴とする。
【０００６】
この構成によれば、閉塞部材の内周部と一対の軸受部との間にスペーサを介設しているため、軸受部、或いは突合せ部の両端部片と、閉塞部材との間の離間距離が一定に保持され、開閉の際に連結縦框が撓んでも、軸受部や両端部片と閉塞部材とが極めて接触し難くなる。したがって、連結縦框に極端に撓みが生じない限り、突合せ部の軸受部や両端部片と閉塞部材とが、直接接触するのを防止することができる。
【０００７】
この場合、スペーサは、閉塞部材の内周部に固定され、且つその内周面で両軸受部に摺接していることが、好ましい。
【０００８】
この構成によれば、折曲げ軸のみならずスペーサによっても、両扉体の開閉を案内することが可能になるため、両扉体の円滑な開閉が可能になる。また、軸受部とスペーサが摺接しているため、両突合せ部に対し閉塞部材ががたつくのを防止することができる。さらに、スペーサを閉塞部材に固定することにより、スペーサを単一の部材で形成することができる。なお、両軸受部とスペーサとは摺接するため、両軸受部が擦れ塗装が損傷することがあるが、両軸受部は外部に露出することがなく、塗装の剥がれが意匠上問題となることはない。また、スペーサを樹脂などで構成することにより、不快な擦れ音の発生を回避することができる。
【０００９】
この場合、閉塞部材の内周部の左右両端部にはそれぞれ内向きの突片が形成されており、スペーサは両突片間に嵌着されていることが、好ましい。
【００１０】
この構成によれば、スペーサを閉塞部材の内周部に簡単に固定することができる。したがって、連結構造が同一の既存の折戸にも、スペーサを簡単に組み込むことができる。
【００１１】
これらの場合、スペーサの左右中間部分には、両軸受部に挟持されるように延びるガタ止め部が形成されていることが、好ましい。
【００１２】
この構成によれば、開放時および閉塞時を問わず、両軸受部を介して、連結縦框同士の離間距離が一定に保持される。
【００１３】
また、スペーサは一対で構成されており、各スペーサは、各軸受部の外周部に固定され、かつその外周面で閉塞部材の内周部に摺接していることが、好ましい。
【００１４】
この構成によれば、折曲げ軸のみならずスペーサによっても、両扉体の開閉を案内することが可能になるため、両扉体の円滑な開閉が可能になる。また、閉塞部材の内周部とスペーサとが摺接しているため、両突合せ部に対し閉塞部材ががたつくのを防止することができる。なお、閉塞部材の内周部とスペーサとは摺接するため、この内周部が擦れ塗装が損傷することがあるが、この部分は外部に露出することがなく、塗装の剥がれが意匠上問題となることはない。また、スペーサを樹脂などで構成することにより、不快な擦れ音の発生を回避することができる。
【００１５】
この場合、各軸受部には外向きの突出片が形成されており、各スペーサは各突出片に装着されていることが、好ましい。
【００１６】
この構成によれば、スペーサを各軸受部の突出片に簡単に固定することができる。したがって、連結構造が同一の既存の折戸にも、スペーサを簡単に組み込むことができる。
【００１７】
これらの場合、一対のスペーサ同士は、扉体が閉塞した状態でほぼ接触するように配設されていることが、好ましい。
【００１８】
この構成によれば、両軸受部を介して、連結縦框同士の離間距離が一定に保持される。
【００１９】
これらの場合、スペーサは短尺に形成され、両連結縦框の上下方向の略中間位置に配設されていることが、好ましい。
【００２０】
この構成によれば、開閉に際し最も撓み易い両連結縦框の上下中間位置にスペーサを配設しているため、撓みに基づく閉塞部材の外周面の擦れや擦れ音、および閉塞部材のがたつきを、効率よく防止することができる。
【００２１】
【発明の実施の形態】
以下、添付図面を参照して、本発明の一実施形態に係る折戸を浴室の中折戸に適用した場合について説明する。図１の横断面図および図２の縦断面図に示すように、この折戸１は、枠体２に左扉体（第１の扉体）３ａおよび右扉体（第２の扉体）３ｂを組み込んで構成され、左扉体３ａと右扉体３ｂとは、突き合わせた状態で、連結金具４を介して折曲げ自在に連結されている。枠体２は、押出し型材（アルミニウム製）で構成された上枠１１、下枠１２および両縦枠１３，１３を枠組みして成り、浴室Ａの開口部に取り付けられている。
【００２２】
上枠１１の下面および下枠１２の上面には、それぞれ見付け方向に延びる上ガイドレール１４ａおよび下ガイドレール１４ｂが形成されている。下ガイドレール１４ｂの上面は、浴室床Ａａおよび脱衣室床Ｂａとほぼ面一に配設され、バリアフリー設計になっている。また、下枠１２の脱衣室Ｂ側には、上向きシール片１５が取り付けられ、同様に上枠１１および下枠１２にもシール部材１６が取り付けられ、これら上向きシール片１５およびシール部材１６により、左右両扉体３ａ，３ｂと枠体２との間が四周に亘ってシールされている。
【００２３】
左右各扉体３ａ，３ｂは、上框２１および下框２２に、縦框２３および連結縦框２４とを框組みすると共に、上框２１と下框２２との間に横桟２５を組み込み、これに上下のパネル体２６，２６を嵌め込んで構成されている。左扉体３ａの横桟２５には、脱衣室Ｂ側に引手部２７が形成され、浴室Ａ側に引手を兼ねるタオル掛け２８が取り付けられている。各扉体３ａ，３ｂの下框２２には、室内外を連通する開閉機構付きの換気ガラリ２９が形成されている。また、左扉体３ａの連結縦框２４にはラッチ機構３０が、右扉体３ｂの連結縦框２４には閉塞ロック機構３１が組み込まれている。さらに、各扉体３ａ，３ｂの縦框２３には、後述する上スライダ３６ａを上ガイドレール１４ａから離脱させる離脱機構３２が組み込まれている。
【００２４】
各扉体３ａ，３ｂの下框２２には、その下端部の両内面に、下ガイドレール１４ｂを挟んで前後一対の下向きシール片３４，３４が取り付けられている。バリアフリー設計の本実施形態では、この一対の下向きシール片３４，３４と上記の上向きシール片１５とにより、浴室床Ａａからの走り水などを確実に止水および防水できるようになっている。一方、各扉体３ａ，３ｂの縦框２３には、上下のピンヒンジ３５，３５を介して上スライダ３６ａおよび下スライダ３６ｂがそれぞれ取り付けられ、各扉体３ａ，３ｂはこの上スライダ３６ａおよび下スライダ３６ｂにより、上ガイドレール１４ａおよび下ガイドレール１４ｂに、それぞれスライド自在に支持されている。ただし、右扉体３ｂの上下両スライダ３６ａ，３６ｂは、上下両ガイドレール１４ａ，１４ｂに不動に固定されている。
【００２５】
これにより、折戸１は、左扉体３ａと右扉体３ｂとが枠体２の幅いっぱいに横に並んだ閉扉位置と、左扉体３ａに右扉体３ｂを重ねるように折り畳んだ開扉位置との間で、開閉される。すなわち、閉扉位置から右扉体３ｂの横桟２５の引手部２７を斜め手前に引くことにより、左扉体３ａと右扉体３ｂが、それぞれピンヒンジ３５を中心に回動すると共に、右扉体３ｂの上下両スライダ３６ａ，３６ｂが上下両ガイドレール１４ａ，１４ｂに案内されて左側に移動し、同時に左扉体３ａと右扉体３ｂとが連結金具４の部分で折れ曲がって、左扉体３ａに右扉体３ｂが重なるように折り畳まれる（開放）。
【００２６】
次に、図３を参照して、連結金具４廻りの構造について詳細に説明する。同図に示すように、左右の両扉体３ａ，３ｂの各連結縦框２４は、突合せ部４１の端面が開放されており、両連結縦框２４はこの開放部分が対向するように配設されている。そして、この突合せ部４１の内部間に亘ってこれらに収容されるように、上記の連結金具４が取り付けられている。連結金具４は、両連結縦框２４，２４の突合せ部間に内設された閉塞部材５１と、一対の折曲げ軸５２，５２と、閉塞部材５１の上下両端に固定される小口カバー（連結部材）５３とで構成されている。
【００２７】
各連結縦框２４の突合せ部４１は、断面略「コ」字状に形成されており、浴室Ａ側の端部片４２ａの先端部は、閉塞部材５１との間隙を狭くすべく内側にわずかに折曲げられている。一方、脱衣室Ｂ側の端部片４２ｂの先端部には、上記の折曲げ軸５２が回動自在に軸支される軸受部４３が一体に形成されいる。軸受部４３は、閉塞部材５１側の一部が不連続となっており、一方の周端部が突片部４４として閉塞部材５１側に突出している。また、突合せ部４１の脱衣室Ｂ側の中間部には、両扉体３ａ，３ｂの逆折れを防止するために閉塞部材５１が当接する当接受け部４５が、一対のリブ片により形成されている。
【００２８】
小口カバー５３は、同図（ａ）に示すように、樹脂等で構成されたカバー本体５５に、ステンレス等の板状の芯材５６を嵌め合わせて構成され、この芯材５６に上記の一対の折曲げ軸５２，５２が下側から固着されている。カバー本体５５は、閉塞部材５１の小口形状に合致させて略半円形に形成され、その下面には、閉塞部材５１の中空部内に嵌合する左右一対の嵌合部５５ａ，５５ａおよび中央の振止め突起５５ｂが形成されている。このように構成された小口カバー５３は、両小口側からそれぞれ閉塞部材５１を上下に挟み込むようにしてこれにビス止めされる。そしてこの状態では、小口カバー５３により、両折曲げ軸５２，５２を介して両連結縦框２４，２４が連結されると共に、小口カバー５３により、閉塞部材５１が支持されている。また、振止め突起５５ｂは、両連結縦框２４，２４の軸受部４３，４３間に位置し、折戸１の開閉時に軸受部４３，４３同士の干渉を防止している。
【００２９】
閉塞部材５１は、長手方向が連結縦框２４とほぼ同一の長さであって、横断面が中央部のビスホール６１を挟むように左右対称形の略半ドーナツ形に形成されている。閉塞部材５１の浴室Ａ側の外周部６２は、連結縦框２４の浴室Ａ側の端部片（の先端部）４２ａの移動軌跡に沿う円弧面となっており、閉塞位置における連結縦框２４の浴室Ａ側の両突合せ部（両端部片４２ａ，４２ａ）４１，４１間に生ずる間隙を、連結縦框２４の内側から閉塞できるようになっている。同様に、閉塞部材５１の内周部６３は、連結縦框２４の脱衣室Ｂ側の軸受部（の突片部４４）４３の移動軌跡に沿う円弧面となっている。
【００３０】
閉塞部材５１の外周部６２の端および内周部６３の端は、閉塞状態で各突合せ部４１の脱衣室Ｂ側の端部片４２ｂに対峙しており、両扉体３ａ，３ｂが逆折れ方向に屈曲すると端部片（当接受け部４５）４２ｂに当接してこれをを阻止する。また、閉塞部材５１の内周部６３ｃの両外端部には、軸受部４３に向かって延びる一対の突片６４，６４が一体形成されており、両扉体３ａ，３ｂが開放した状態では（同図（ｃ））、この各突片６４に対応する軸受部４３の突出片４４が当接して、閉塞部材５１が左右いずれかに偏って回動するのを防止している。そして、この閉塞部材５１の内周部６３と軸受部４３との間には、スペーサ５４が介設されている。
【００３１】
スペーサ５４は、短尺に形成され、ほぼ横桟２５が配設されている位置、すなわち両連結縦框２４の上下中間位置に配設されている。スペーサ５４は、両軸受部４３，４３に挟まれるように配設されたガタ止め部７１と、閉塞部材５１の内周部６３に沿ってガタ止め部７１から両側方に円弧状に延びる一対の摺接部７２，７２とから成り、樹脂などで一体に形成されている。各摺接部７２の端部は、閉塞部材５１の各突片６４に当接しており、スペーサ５４自体は、この両突片６４，６４間に嵌め込まれるようにして、閉塞部材５１の内周部６３に固定されている。なお、スペーサ５４は、上下方向において、閉塞部材５１の各突片６４に形成したカシメ部（図示省略）により、位置決めされている。
【００３２】
このような構成では、両扉体３ａ，３ｂを開閉すると、一対の折曲げ軸５２，５２を中心に、両連結縦框２４，２４と閉塞部材５１とが相対的に回動し、スペーサ５４の内周面６３に軸受部４３の突出片４４が摺接して、軸受部４３の相対的な回動が案内される。また、開閉に際し、両軸受部４３，４３は、上下の小口端で一対の折曲げ軸５２，５２に位置決めされると共に、スペーサ５４によっても位置決めされる。すなわち、スペーサ５４により、軸受部４３を含む突合せ部４１の脱衣室Ｂ側の端部片４２ｂと閉塞部材５１との離間距離が保持され、かつ軸受部４３同士の離間距離が保持される。
【００３３】
ところで、両扉体３ａ，３ｂを開閉すると、その引手部２７や引手を兼ねるタオル掛け２８を介して、両連結縦框２４，２４の上下中間位置に前後方向の力が加わる。特に、連結縦框２４に対しその厚み方向に力が加わる開放時には、連結縦框２４が上下中間位置でわずかに浴室Ａ側に撓む。そして、その撓み量は、連結縦框２４の上下中間部分で最も大きくなる。この状態では、両連結縦框２４，２４の突合せ部４１は、その脱衣室Ｂ側の端部片４２ｂが上下中間部で閉塞部材５１に近づく方向に力を受け、またこれを受けて閉塞部材５１が上下両端部で浴室Ａ側の端部片４２ａに接近する。
【００３４】
しかし、上下両端部では、上記の小口カバー５３により、また上下中間部では、上記のスペーサ５４により、突合せ部４１と閉塞部材５１との離間距離、および軸受部４３，４３同士の離間距離が一定に保持されるため、閉塞部材５１の内周部６３と軸受部４３の突出片４４とが、また閉塞部材５１の外周部６２と浴室Ａ側の端部片４２ａの先端とが、直接接触することがなく、開閉に際に連結縦框２４が撓んでも、これらが相互に擦れ合うのを防止することができる。したがって、閉塞時に露出する閉塞部材５１の外周部６２に擦り傷が発生するのを防止することができると共に、これらが擦れ合に伴う不快な擦れ音を防止することができる。また、上下中間部において、両突合せ部４１，４１の内部で閉塞部材５１ががたつくのを防止することができる。
【００３５】
次に、図４を参照して他の実施形態について説明する。この実施形態では、両連結縦框２４，２４の軸受部４３にそれぞれスペーサ５４，５４が取り付けられている。各スペーサ５４の外周面７４は、対応する閉塞部材５１の内周部６３と相補的な形状を有しており、基部で軸受部４３の突出片４４を挟み込むようにこれに装着されている。また、両スペーサ５４，５４は、閉塞状態でほぼ接触するように配設されている。この場合も、両スペーサ５４は、短尺に形成され、両連結縦框２４の上下中間位置に配設されている。
【００３６】
両扉体３ａ，３ｂを開閉すると、一対の折曲げ軸５２，５２を中心に、両連結縦框２４，２４と閉塞部材５１とが相対的に回動し、閉塞部材５１の内周部６３に各スペーサ５４の外周面７４が摺接して、軸受部４３の相対的な回動が案内される。また、両スペーサ５４，５４により、軸受部４３を含む突合せ部４１の脱衣室Ｂ側の端部片４２ｂと閉塞部材５１との離間距離が保持され、かつ軸受部４３同士の離間距離が保持される。したがって、閉塞部材５１の外周部６２に擦り傷が発生するのを防止することができると共に、不快な擦れ音を防止することができる。また、上下中間部において、両突合せ部４１，４１の内部で閉塞部材３１ががたつくのを防止することができる。
【００３７】
なお、本実施形態では、浴室用の折戸について説明したが、勝手口折戸などの他の折戸にも適用できることは、いうまでもない。また、スペーサを、ピースで形成するようにしているが、棒状に長く形成してもよい。さらに、スペーサの数を増やし、上下方向に分散して配設するようにしてもよい。またさらに、スペーサが軸受部および閉塞部材の両方に、必ずしも接触している必要はない。
【００３８】
【発明の効果】
以上のように本発明の折戸によれば、閉塞部材の内周部と一対の軸受部との間に介設したスペーサにより、開閉の際に連結縦框が撓んでも、両連結縦框の突合せ部と閉塞部材との間の離間距離が保持されるため、突合せ部の軸受部や両端部片と閉塞部材とが、直接接触するのを防止することができる。したがって、簡単な構造で、開閉の際の連結縦框の撓みに基づいて発生する閉塞部材の外周面の擦れや擦れ音、および閉塞部材のがたつきを有効に防止することができる。
【図面の簡単な説明】
【図１】本発明の一実施形態に係る折戸の横断面図である。
【図２】一実施形態に係る折戸の縦断面図である。
【図３】折戸の連結金具廻りの拡大横断面図である。
【図４】他の実施形態に係る連結金具廻りの拡大横断面図である。
【符号の説明】
１  折戸、３ａ  左扉体、３ｂ  右扉体、４  連結金具、２４  連結縦框、４１  突合せ部、４２ａ  端部片、４２ｂ  端部片、４３  軸受部、４４  突片部、５１  閉塞部材、５２  折曲げ軸、５３  小口カバー、５４  スペーサ、６２  外周部、６３  内周部、６４  突片、７１  ガタ止め部、７２  摺接部、７４  外周面、Ａ  浴室、Ｂ  脱衣室
【図１】
0003600447.tif 000002
【図２】
0003600447.tif 000003
【図３】
0003600447.tif 000004
【図４】
0003600447.tif 000005